(57)【要約】【課題】  ユーザが挿入紙の設定をする際、その挿入紙の状態を直感的に把握することができる技術を提供する。【解決手段】  画像処理装置の印刷設定をする印刷設定装置であって、使用可能な用紙に関する情報を一覧として表示させる用紙表示部と、印刷物をページ一覧として表示させる印刷物表示部と、一覧表示された用紙情報のうちいずれの用紙情報が選択されているかを示す選択用紙情報を取得する選択用紙情報取得部と、一覧として表示されたページにおけるいずれのページ位置に用紙を挿入するかを示す挿入位置情報を取得する挿入位置情報取得部と、選択用紙情報を挿入位置情報に挿入した状態として印刷物表示部により表示されるページ一覧に反映させる挿入状態反映部とを有する。【選択図】  図１
2008293496.tif 000002
【特許請求の範囲】
【請求項１】
画像処理装置の印刷設定をする印刷設定装置であって、
前記画像処理装置にて使用可能な用紙に関する所定の用紙情報を一覧として表示させる用紙表示部と、
前記画像処理装置における印刷対象である印刷物をページ一覧として表示させる印刷物表示部と、
前記用紙表示部にて一覧表示された用紙情報のうちいずれの用紙情報が選択されているかを示す選択用紙情報を取得する選択用紙情報取得部と、
前記印刷物表示部にて一覧表示されたページにおけるいずれのページ位置に用紙を挿入するかを示す挿入位置情報を取得する挿入位置情報取得部と、
前記選択用紙情報取得部にて取得された前記選択用紙情報を前記挿入位置情報取得部にて取得された前記挿入位置情報に挿入した状態として前記印刷物表示部により表示されるページ一覧に反映させる挿入状態反映部と、
を備えてなる印刷設定装置。
【請求項２】
請求項１に記載の印刷設定装置において、
前記挿入状態反映部は、挿入した前記選択用紙情報を前記印刷物のページ番号に含まない状態として前記印刷物表示部により表示されるページ一覧に反映させることを特徴とする印刷設定装置。
【請求項３】
請求項１に記載の印刷設定装置において、
前記印刷物表示部にて一覧表示されたページにおけるいずれのページの印刷用紙を変更するかを示す変更ページ情報を取得する変更ページ情報取得部と、
前記変更ページ情報取得部にて取得された前記変更ページ情報の印刷用紙を前記選択用紙情報取得部にて取得された前記選択用紙情報として前記印刷物表示部により表示されるページ一覧に反映させる変更状態反映部と、
を備えてなる印刷設定装置。
【請求項４】
請求項１に記載の印刷設定装置において、
前記画像処理装置に格納された用紙の格納位置を示す格納位置情報とともに前記所定の用紙情報を色および文字のうち少なくともいずれか一つで表示する用紙位置表示部を備えてなる印刷設定装置。
【請求項５】
請求項４に記載の印刷設定装置において、
前記用紙位置表示部は、前記格納位置情報および前記所定の用紙情報のうち少なくともいずれか一つを前記画像処理装置の画像に対応付けて表示することを特徴とする印刷設定装置。
【請求項６】
請求項４に記載の印刷設定装置において、
前記用紙位置表示部は、前記印刷物を印刷する際に使用する用紙の前記所定の用紙情報および前記格納位置情報のうち少なくともいずれか一つを強調表示することを特徴とする印刷設定装置。
【請求項７】
請求項４に記載の印刷設定装置において、
前記用紙位置表示部は、前記画像処理装置の給紙設定が自動設定とされた場合、前記自動設定であることを示す情報を表示することを特徴とする印刷設定装置。
【請求項８】
請求項１に記載の印刷設定装置において、
前記画像処理装置に格納されている用紙の種別、紙質、枚数および印字状態のうち少なくともいずれかに関する情報を取得する用紙状態情報取得部を備え、
前記所定の用紙情報は前記用紙状態情報取得部にて取得された情報に基づくことを特徴とする印刷設定装置。
【請求項９】
請求項１に記載の印刷設定装置において、
更に、前記印刷物の状態をページめくりの形式として表示する印刷試写部と
を備えてなる印刷設定装置。
【請求項１０】
画像処理装置の印刷設定をコンピュータに実行させる印刷設定プログラムであって、
前記画像処理装置にて使用可能な用紙に関する所定の用紙情報を一覧として表示させる用紙表示ステップと、
前記画像処理装置における印刷対象である印刷物をページ一覧として表示させる印刷物表示ステップと、
前記用紙表示ステップにて一覧表示された用紙情報のうちいずれの用紙情報が選択されているかを示す選択用紙情報を取得する選択用紙情報取得ステップと、
前記印刷物表示ステップにて一覧表示されたページにおけるいずれのページ位置に用紙を挿入するかを示す挿入位置情報を取得する挿入位置情報取得ステップと、
前記選択用紙情報取得ステップにて取得された前記選択用紙情報を前記挿入位置情報取得ステップにて取得された前記挿入位置情報に挿入した状態として前記印刷物表示ステップにより表示されるページ一覧に反映させる挿入状態反映ステップと、
をコンピュータに実行させる印刷設定プログラム。
【請求項１１】
請求項１０に記載の印刷設定プログラムにおいて、
前記挿入状態反映ステップは、挿入した前記選択用紙情報を前記印刷物のページ番号に含まない状態として前記印刷物表示ステップにより表示されるページ一覧に反映させることを特徴とする印刷設定プログラム。
【請求項１２】
請求項１０に記載の印刷設定プログラムにおいて、
前記印刷物表示ステップにて一覧表示されたページにおけるいずれのページの印刷用紙を変更するかを示す変更ページ情報を取得する変更ページ情報取得ステップと、
前記変更ページ情報取得ステップにて取得された前記変更ページ情報の印刷用紙を前記選択用紙情報取得ステップにて取得された前記選択用紙情報として前記印刷物表示ステップにより表示されるページ一覧に反映させる変更状態反映ステップと、
をコンピュータに実行させる印刷設定プログラム。
【請求項１３】
請求項１０に記載の印刷設定プログラムにおいて、
前記画像処理装置に格納された用紙の格納位置を示す格納位置情報とともに前記所定の用紙情報を色および文字のうち少なくともいずれか一つで表示する用紙位置表示ステップをコンピュータに実行させる印刷設定プログラム。
【請求項１４】
請求項１３に記載の印刷設定プログラムにおいて、
前記用紙位置表示ステップは、前記格納位置情報および前記所定の用紙情報のうち少なくともいずれか一つを前記画像処理装置の画像に対応付けて表示することを特徴とする印刷設定プログラム。
【請求項１５】
請求項１３に記載の印刷設定プログラムにおいて、
前記用紙位置表示ステップは、前記印刷物を印刷する際に使用する用紙の前記所定の用紙情報および前記格納位置情報のうち少なくともいずれか一つを強調表示することを特徴とする印刷設定プログラム。
【請求項１６】
画像処理装置の印刷設定を実行する印刷設定方法であって、
前記画像処理装置にて使用可能な用紙に関する所定の用紙情報を一覧として表示させる用紙表示ステップと、
前記画像処理装置における印刷対象である印刷物をページ一覧として表示させる印刷物表示ステップと、
前記用紙表示ステップにて一覧表示された用紙情報のうちいずれの用紙情報が選択されているかを示す選択用紙情報を取得する選択用紙情報取得ステップと、
前記印刷物表示ステップにて一覧表示されたページにおけるいずれのページ位置に用紙を挿入するかを示す挿入位置情報を取得する挿入位置情報取得ステップと、
前記選択用紙情報取得ステップにて取得された前記選択用紙情報を前記挿入位置情報取得ステップにて取得された前記挿入位置情報に挿入した状態として前記印刷物表示ステップにより表示されるページ一覧に反映させる挿入状態反映ステップと、
を実行する印刷設定方法。
【請求項１７】
請求項１６に記載の印刷設定方法において、
前記挿入状態反映ステップは、挿入した前記選択用紙情報を前記印刷物のページ番号に含まない状態として前記印刷物表示ステップにより表示されるページ一覧に反映させることを特徴とする印刷設定方法。
【請求項１８】
請求項１６に記載の印刷設定方法において、
前記印刷物表示ステップにて一覧表示されたページにおけるいずれのページの印刷用紙を変更するかを示す変更ページ情報を取得する変更ページ情報取得ステップと、
前記変更ページ情報取得ステップにて取得された前記変更ページ情報の印刷用紙を前記選択用紙情報取得ステップにて取得された前記選択用紙情報として前記印刷物表示ステップにより表示されるページ一覧に反映させる変更状態反映ステップと、
を実行する印刷設定方法。
【請求項１９】
請求項１６に記載の印刷設定方法において、
前記画像処理装置に格納された用紙の格納位置を示す格納位置情報とともに前記所定の用紙情報を色および文字のうち少なくともいずれか一つで表示する用紙位置表示ステップを実行する印刷設定方法。
【請求項２０】
請求項１９に記載の印刷設定方法において、
前記用紙位置表示ステップは、前記格納位置情報および前記所定の用紙情報のうち少なくともいずれか一つを前記画像処理装置の画像に対応付けて表示することを特徴とする印刷設定方法。
【発明の詳細な説明】
【技術分野】
【０００１】
本発明は、印刷物の印刷状態を設定する印刷設定装置、印刷設定プログラム、印刷設定方法であって、特に印刷状態の表示に関するものである。
【背景技術】
【０００２】
従来、章立てされた原稿（印刷物）が作成される場合において、色紙等の挿入紙を章の切り替わりに挿入することで、各章の切り替わりを強調する方法が一般的に行われる。その際、特に両面印刷や２ページ分を１枚の用紙に印刷する等の割付印刷を行う場合は、ユーザは挿入紙を挿入することによるページ番号への影響（例えば挿入紙に印刷されていないか、挿入紙を挿入したことによるページ番号のずれが生じないか等）を考慮しなければならず、挿入するページ付近のページ番号に注意を払いながら、ページ番号を設定する必要がある。
【０００３】
また、現在はパーソナルコンピュータの文書作成アプリケーション上で原稿が作成されるのが一般的となっている。このように作成された原稿は、パーソナルコンピュータ内のプリンタドライバの印刷設定画面によって印刷設定（挿入紙の設定）がなされ、その後印刷機にて印刷される。このようにパーソナルコンピュータ上での原稿作成および挿入紙の設定が行われる場合、ユーザは文書作成アプリケーションのプレビュー機能によって表示される印刷物を確認しながら、挿入紙を設定することを望む。
【０００４】
しかし、ユーザがプリンタドライバの印刷設定画面をアクティブにすると文書作成アプリケーションのプレビュー表示がノンアクティブ（プリンタドライバの設定画面の背面となり、且つ操作不可）になるのが一般的であるため、ユーザはプリンタドライバの印刷設定画面と文書作成アプリケーションとの間での表示の切り替えを常に行う必要があった。もしくは、ユーザは予め原稿をプリントアウトして手元に置き、プリンタドライバの印刷設定画面を表示させ、手元の原稿を確認しつつ印刷設定を行うか、または原稿のページ番号を予めメモに取り、そのメモで管理しながら印刷設定を行う必要があった。
【０００５】
上述のような挿入紙の設定を支援するため、印刷設定画面上にページ番号の設定内容をアイコンやプレビューで表示するプリンタドライバが知られている。
【発明の開示】
【発明が解決しようとする課題】
【０００６】
しかしながら、従来のプリンタドライバの印刷設定画面におけるアイコンやプレビューによる表示は、抽象化された表示となっているため、ユーザは実際に挿入紙がどのように設定されているかを把握することが難しい。特に挿入紙が複数枚設定される場合は、挿入紙同士がどのように影響するかを把握するのが難しいため、ユーザは印刷結果を確認するため、原稿を一部印刷し、その内容を確認後に必要部数を印刷する必要があった。
【０００７】
またユーザが印刷するに際し、どの給紙カセット（または手差しトレイ）にセットされた用紙を使用するかを印刷設定画面上に表示するプリンタドライバが知られている。しかしながら、従来のプリンタドライバは、給紙カセットに予め割り振られた識別子をテキストのみで表示するものや、また印刷機の画像は表示するものの、使用する給紙カセットの情報を抽象化された記号のみで表示するものである。よってユーザは、給紙カセットが印刷機本体のどこに格納されているかを把握するのが困難となり、使用する挿入紙の種類や給紙カセットの位置情報を直感的に把握することが困難となる。また従来の印刷設定画面上に印刷機の画像を表示するプリンタドライバは、給紙設定が自動設定となっている場合、自動設定であることをユーザに知らせる表示を印刷機の画像上に表示しないため、ユーザは自動設定である旨を直感的に把握することができない。
【０００８】
この発明の実施の形態は、ユーザが挿入紙の設定をする際、その挿入紙の状態を直感的に把握することができるユーザインタフェースを有する印刷設定装置、印刷設定プログラムおよび印刷設定方法を提供することを目的とする。
【課題を解決するための手段】
【０００９】
上述した課題を解決するため、本発明の一態様に係る印刷設定装置は、画像処理装置の印刷設定をする印刷設定装置であって、前記画像処理装置にて使用可能な用紙に関する所定の用紙情報を一覧として表示させる用紙表示部と、前記画像処理装置における印刷対象である印刷物をページ一覧として表示させる印刷物表示部と、前記用紙表示部にて一覧表示された用紙情報のうちいずれの用紙情報が選択されているかを示す選択用紙情報を取得する選択用紙情報取得部と、前記印刷物表示部にて一覧表示されたページにおけるいずれのページ位置に用紙を挿入するかを示す挿入位置情報を取得する挿入位置情報取得部と、前記選択用紙情報取得部にて取得された前記選択用紙情報を前記挿入位置情報取得部にて取得された前記挿入位置情報に挿入した状態として前記印刷物表示部により表示されるページ一覧に反映させる挿入状態反映部とを備えることを特徴とする構成としている。
【００１０】
また、本発明の一態様に係る印刷設定プログラムは、画像処理装置の印刷設定をコンピュータに実行させる印刷設定プログラムであって、前記画像処理装置にて使用可能な用紙に関する所定の用紙情報を一覧として表示させる用紙表示ステップと、前記画像処理装置における印刷対象である印刷物をページ一覧として表示させる印刷物表示ステップと、前記用紙表示ステップにて一覧表示された用紙情報のうちいずれの用紙情報が選択されているかを示す選択用紙情報を取得する選択用紙情報取得ステップと、前記印刷物表示ステップにて一覧表示されたページにおけるいずれのページ位置に用紙を挿入するかを示す挿入位置情報を取得する挿入位置情報取得ステップと、前記選択用紙情報取得ステップにて取得された前記選択用紙情報を前記挿入位置情報取得ステップにて取得された前記挿入位置情報に挿入した状態として前記印刷物表示ステップにより表示されるページ一覧に反映させる挿入状態反映ステップとを特徴とするプログラムとしている。
【００１１】
さらに、本発明の一態様に係る印刷設定方法は、画像処理装置の印刷設定を実行する印刷設定方法であって、前記画像処理装置にて使用可能な用紙に関する所定の用紙情報を一覧として表示させる用紙表示ステップと、前記画像処理装置における印刷対象である印刷物をページ一覧として表示させる印刷物表示ステップと、前記用紙表示ステップにて一覧表示された用紙情報のうちいずれの用紙情報が選択されているかを示す選択用紙情報を取得する選択用紙情報取得ステップと、前記印刷物表示ステップにて一覧表示されたページにおけるいずれのページ位置に用紙を挿入するかを示す挿入位置情報を取得する挿入位置情報取得ステップと、前記選択用紙情報取得ステップにて取得された前記選択用紙情報を前記挿入位置情報取得ステップにて取得された前記挿入位置情報に挿入した状態として前記印刷物表示ステップにより表示されるページ一覧に反映させる挿入状態反映ステップとを特徴とする方法としている。
【発明の効果】
【００１２】
本技術によれば、ユーザが挿入紙の設定をする際、その挿入紙の状態を直感的に把握することができるユーザインタフェースを有する印刷設定装置、印刷設定プログラムおよび印刷設定方法を提供することができるという効果を奏する。
【発明を実施するための最良の形態】
【００１３】
以下、本発明の実施の形態について図面を参照しつつ説明する。図１は、本実施の形態における印刷設定装置１を含んだネットワーク構成の一例を示す構成図である。
【００１４】
本実施の形態においては、パーソナルコンピュータ２００（ＰＣ）と印刷処理装置３００とがＬＡＮ４００（ローカルエリアネットワーク）を経由して接続されている。また、パーソナルコンピュータ２００は、印刷設定装置１によって表示される画面を出力するモニター２００ａおよび印刷設定装置１へ対するユーザからの指示として入力を受け付ける入力装置２００ｂを備えている。
【００１５】
また図１にパーソナルコンピュータ２０ｎ等、印刷処理装置３０ｎとして示すように、パーソナルコンピュータ２００、および画像処理装置３００は複数台設置されていてもよい。また、パーソナルコンピュータ２００には原稿（印刷物）を作成するための文書作成アプリケーションが導入されているものとする。
【００１６】
図２は、本実施の形態による画像処理装置３００の概要について説明するための外観斜視図である。本実施の形態における画像処理装置３００は、１台でプリンタ機能、スキャナ機能、コピー機能等の各機能を兼ね備えたＭＦＰ（Multi Function Peripheral：多機能周辺装置）である。
【００１７】
画像処理装置３００は、インターフェース画面１０１、ＡＤＦ（Auto Document Feeder）１０２、画像読取部１０３、手差し給紙部１０４、給紙カセット（１０５Ａ、１０５Ｂ、１０５Ｃ、１０５Ｄ）（以下、給紙カセット（１０５Ａから１０５Ｄ）を、必要に応じて「給紙カセット部１０５」と記載）、画像形成部１０６を備えてなる構成となっている。
【００１８】
以下、本実施の形態による画像処理装置３００の処理の一例として、プリンタ出力処理の動作について簡単に説明する。画像処理装置３００はパーソナルコンピュータ２００内の文書作成アプリケーションにてユーザによって作成された原稿データを、ＬＡＮ４００を介してパーソナルコンピュータ２００より受信する。画像処理装置３００内に備えられた給紙カセット部１０５または手差し給紙部１０４は、このようにして受信された原稿データを印刷するため、給紙動作を行う。給紙された用紙は、画像形成部１０６に搬送され、受信された原稿データに基づく画像形成処理が施される。
【００１９】
また、インターフェース画面１０１は、例えばタッチパネルディスプレイから構成されており、インターフェース画面１０１における表示内容に基づくユーザの操作入力を受け付ける操作入力部としての役割も有している。
【００２０】
尚、ＡＤＦ１０２および画像読取部１０３は、画像処理装置３００がコピー処理、またはスキャナ処理を行う場合に使用されるもので、ＡＤＦ１０２にセットされた原稿が画像読取部（画像処理部）１０３による原稿読取位置に対して自動搬送され、搬送された原稿は、画像読取部１０３にて画像を読み取られる。
【００２１】
続いて、本実施の形態による印刷設定装置１について説明する。図３は印刷設定装置１の機能ブロック図である。
【００２２】
本実施の形態における印刷設定装置１は、用紙状態取得部１１（用紙状態情報取得部）と、用紙表示部１２と、印刷物表示部１３と、選択用紙情報取得部１４と、変更ページ情報取得部１５と、挿入位置情報取得部１６と、状態反映部１７（挿入状態反映部、変更状態反映部）と、用紙位置表示部１８と、印刷試写部１９と、ＣＰＵ８０１、ＭＥＭＯＲＹ８０２とを備えている。尚、本実施の形態において、印刷設定装置１はパーソナルコンピュータ２００に実装されているものとする。
【００２３】
次に、各機能ブロックについて説明する。用紙状態取得部１１は、用紙サイズ、用紙の色および用紙の向き（用紙の種別）の情報である用紙情報および給紙カセット（１０５Ａから１０５Ｄ）または手差し給紙部１０４の識別子（「手差し」、「第１カセット」、「第２カセット」、等）であるカセット情報を取得し、さらに用紙がセットされた給紙カセット（１０５Ａから１０５Ｄ）や手差し給紙部１０４の、画像処理装置３００における位置の情報（格納位置情報）を取得する。用紙表示部１２は、上述の用紙情報およびカセット情報を文字および用紙の画像データとして一覧表示する。また印刷物表示部１３は、印刷対象の原稿をページ単位で一覧表示する。
【００２４】
選択用紙情報取得部１４は、用紙表示部１２から挿入紙（または変更用紙）として選択された用紙の情報を取得し、変更ページ情報取得部１５は印刷物表示部１３にて表示されたページ一覧より、いずれのページの印刷用紙を変更するかを示す変更ページ情報を取得する。また挿入位置情報取得部１６は、印刷物表示部１３にて表示されたページ一覧からいずれのページ位置に用紙を挿入するかを示す挿入位置情報を取得する。
【００２５】
状態反映部１７は、ページ挿入（または用紙変更）により印刷状態が変更される度に随時印刷状態を印刷物表示部１３に反映させる。
用紙位置表示部１８は、上述の格納位置情報や、用紙情報およびカセット情報を、画像処理装置３００の画像イメージとともに表示し、印刷試写部１９は印刷状態をページめくりの形式で表示する。
【００２６】
また、画像処理装置３００は、用紙表示部１２および用紙位置表示部１８にて表示される上述の用紙情報を実際の用紙から検出するメディアセンサ、計測センサのセンサ１１０を備える。センサ１１０は、図４の画像処理装置３００の断面図に示すように、手差し給紙部１０４、給紙カセット部１０５の内部に実装されている。
【００２７】
本実施の形態において、上述の用紙情報は、メディアセンサにて検出される用紙の色、計測センサにて検出される用紙サイズ、用紙の向きとしたが、手差し給紙部１０４、給紙カセット部１０５の内部に取り付けられたセンサにて検出できる情報であればどのような情報でもよい。また、普通紙、インクジェット紙等の紙質や、用紙の残量（枚数）や、片面のみを使用した用紙（裏紙）が使用される場合はその印字状態を検出できるセンサが手差し給紙部１０４、給紙カセット部１０５の内部に実装することが望ましい。この場合、センサ１１０は紙質、用紙残量、印字状態の情報を検出し、用紙表示部１２および用紙位置表示部１８は、紙質、用紙残量、印字状態の情報を表示する。
【００２８】
また、印刷設定装置１に備えられたＣＰＵ８０１は、印刷設定装置１における各種処理を行う役割を有しており、また印刷設定装置１に備えられたＭＥＭＯＲＹ８０２に格納されているプログラムを実行することにより種々の機能を実現する役割も有している。ＭＥＭＯＲＹ８０２は、例えばＲＯＭやＲＡＭ等から構成されており、印刷設定装置１において利用される種々の情報やプログラムを格納する役割を有している。
【００２９】
次に、本実施の形態における印刷設定装置１の処理を説明する。印刷設定装置１における処理の流れを図５のフローチャートに示し、モニター２００ａにて表示される画面イメージの一例を図６から図１２に示す。以降、フローチャートと画面イメージを参照しつつ説明する。
【００３０】
まず、本実施の形態における印刷設定装置１の各種設定を行うメインメニュー画面を図６に示す。メインメニュー画面の「挿入紙」ボタンが押されることで、図５に示したフローチャートの処理が開始される。尚、本メインメニュー画面には、「挿入紙」ボタン以外に、印刷部数、用紙割付設定（Ｎｉｎ１）、両面印刷設定、ソート設定等の印刷する際に一般に設定される設定項目が用意されている。また、メインメニュー画面には後述する画像処理装置の画像（図６中の左下部）および「リアルプレビュー」ボタンが用意されている。
【００３１】
図６のメインメニュー画面上で、「挿入紙」ボタンが押下された場合、用紙状態取得部１１は、用紙情報、カセット情報、格納位置情報を画像処理装置３００より取得する（ステップＳ１０１）。
【００３２】
画像処理装置３００内には、予め「用紙情報を検出するセンサ」、「カセット情報」、「格納位置情報」間での対応関係が保存されている。画像処理装置３００は、まず給紙カセット部１０５または手差し給紙部１０４に備えられたセンサ１１０から用紙情報、カセット情報を検出し、その後、用紙情報を検出したセンサと上述の対応関係に基づきカセット情報および格納位置情報を検出する。これらの情報を用紙状態取得部１１が取得する。
【００３３】
用紙表示部１２は、用紙状態取得部１１にて取得された用紙情報およびカセット情報を、用紙画像や文字として一覧表示させる（ステップＳ１０２）。用紙表示部１２にて表示される一覧の一例を図７の上段の「挿入紙」に示す。用紙表示部１２は、用紙情報の用紙サイズ（例えば日本におけるＡ４版、Ａ３版、等）、カセット情報（「手差し」、「第１カセット」、「第２カセット」、・・・、等）を用紙の識別子（「挿入紙Ａ」、「挿入紙Ｂ」、・・・、等）とともに文字として表示し、さらに用紙の色および用紙の向き（縦向きまたは横向き）を用紙の画像データとして表す。
【００３４】
本実施の形態においては、挿入紙ＡとしてＡ４縦サイズの緑色用紙（図７では斜線で表示）が手差し給紙部１０４（手差し）にセットされ、挿入紙ＢとしてＡ４縦サイズの白紙が給紙カセット１０５Ａ（第１カセット）にセットされている。また挿入紙ＣとしてＡ４横サイズの白紙が給紙カセット１０５Ｂ（第２カセット）にセットされ、挿入紙ＤとしてＡ４縦サイズの青色用紙（図７では格子状として表示）が給紙カセット１０５Ｃ（第３カセット）にセットされている。また挿入紙ＥとしてＡ３横サイズの白紙が給紙カセット１０５Ｄ（第４カセット）にセットされている。
【００３５】
印刷物表示部１３は、印刷対象である原稿の内容をページ一覧として表示させる（ステップＳ１０３）。印刷物表示部１３にて表示されるページ一覧の一例を図７の下段の「原稿」に示す。印刷物表示部１３は印刷対象である原稿の内容をページ番号とともに表示する。
【００３６】
用紙表示部１２にて表示された用紙一覧より、使用する用紙画像（挿入紙）がユーザからの入力装置２００ｂのマウスによるドラッグ操作により選択されることで、選択用紙情報取得部１４は、選択用紙（選択用紙情報）を取得する（ステップＳ１０４）。
【００３７】
次に、印刷物表示部１３は、ドラッグ操作により選択された選択用紙が表示したページ一覧のどの箇所にドロップ操作されるかを判定する（ステップＳ１０５）。
【００３８】
ドロップ操作された箇所が印刷物表示部１３にて表示されたページ一覧のページ上であった場合、変更ページ情報取得部１５は、ドロップ操作により選択されたページを用紙変更が行われるページ（変更ページ情報）として取得する（ステップＳ１０６）。
【００３９】
その後、状態反映部１７は、選択用紙情報取得部１４によって取得された選択用紙を、変更ページ情報取得部１５によって取得されたページの印刷用紙とした状態として印刷物表示部１３のページ一覧を反映させる（ステップＳ１０７）。
【００４０】
上述のステップＳ１０４からステップＳ１０７までの処理の理解を深めるため、用紙の変更操作の一例を図８に示す。例えば、用紙表示部１２にて表示された用紙一覧（図８中の上段）で、ユーザによって挿入紙Ａが選択（ドラッグ操作）され、印刷物表示部１３により表示されたページ一覧（図８中の下段）よりページ番号１のページに対して挿入紙Ａがドロップ操作された場合、ページ番号１は、ページの印字内容をそのままに印刷用紙を挿入紙Ａの用紙（Ａ４縦サイズの緑色用紙）に変更された状態で表示される。
【００４１】
尚、状態反映部１７は、変更されたページに対し、ページ番号とともにどの用紙が使用されるかを文字で示す（図８中「１挿入紙Ａ」と表示）と、より用紙設定の内容を直感的に把握することができる。
【００４２】
図５のフローチャートに戻ると、前述のステップＳ１０５で、ドロップ操作された箇所が印刷物表示部１３にて表示されたページ一覧のページとページの間（ページ間）であった場合、挿入位置情報取得部１６は、印刷物表示部１３で表示されたページ一覧からドロップ操作にて選択されたページ間を挿入位置情報として取得する（ステップＳ１０８）。
【００４３】
その後、状態反映部１７は、選択用紙情報取得部１４によって取得された選択用紙を挿入位置情報取得部１６によって取得されたページ間に挿入した状態として印刷物表示部１３のページ一覧に反映する（ステップＳ１０９）。
【００４４】
上述のステップＳ１０４からステップＳ１０９までの処理の理解を深めるため、画面イメージの一例を図９に示す。例えば、用紙表示部１２にて表示された用紙一覧（図９中の上段）で、ユーザによって挿入紙Ｄが選択（ドラッグ操作）され、印刷物表示部１３により表示されたページ一覧（図９中の下段）よりページ番号７とページ番号８の間に対して挿入紙Ｄがドロップ操作された場合、ページ番号７とページ番号８の間に挿入紙Ｄ（Ａ４縦サイズの青色用紙）が挿入された状態で表示される。
【００４５】
尚、印刷物表示部１３により表示されたページ一覧で、ページ番号１の左側付近に選択用紙がドロップ操作された場合は、ドラッグ操作された選択用紙は印刷物の表紙となり、最終ページの右側付近に選択用紙がドロップ操作された場合は、ドラッグされた選択用紙は印刷物の裏表紙となる。
【００４６】
また、挿入された選択用紙を印刷物のページ番号に含まない（ページ番号をカウントする対象に含まない）ようにすることで、例えば両面印刷や、１枚の用紙に２ページ分印刷する等の割付印刷が行われた場合に生ずるページ番号のずれや、挿入紙として選択された色紙の上に意図しない印字がなされる等の不整合を回避することができる。
【００４７】
上述の用紙設定作業（ステップＳ１０４からＳ１０７の処理もしくはステップＳ１０４からステップＳ１０９の処理）がユーザによって行われ、一通りの用紙設定作業が完了した場合、状態反映部１７はユーザにより図９中の「ＯＫ」ボタンが押されることで用紙設定内容を確定し、モニター２００ａの表示は図６のメインメニュー画面に戻る。
【００４８】
上述のように用紙設定がなされた原稿に対し、画像処理装置３００上のどの給紙カセット（１０５Ａから１０５Ｄ）または手差し給紙部１０４の用紙が使用されるかをユーザに直感的に把握させるため、用紙位置表示部１８は図６のメインメニュー画面の左下部に画像処理装置３００の画像イメージに対応付けて用紙情報、カセット情報、格納位置情報を文字や用紙の色情報として表示する（ステップＳ１１０）。さらに、用紙位置表示部１８は、印刷する際に使用する用紙を強調表示する。
【００４９】
図６のメインメニュー画面にて表示された画像処理装置３００の画像イメージの拡大図を図１０に示す。用紙位置表示部１８は、図１０に示すように画像処理装置３００の画像イメージに対応付けて、カセット情報や、用紙情報内の用紙サイズおよび用紙の向きを用紙の識別子とともに文字で表示し、且つ格納位置情報を、画像処理装置３００の画像イメージの中の対応した箇所（画像処理装置３００の画像イメージの中の手差し給紙部１０４や給紙カセット部１０５）に、用紙情報内の用紙の色で着色されることで表示する。
【００５０】
例えば手差し給紙部１０４に緑色の用紙がセットされた場合は、用紙位置表示部１８は、カセット情報等を文字で表示し、手差し給紙部１０４の位置を緑色（図１０中は斜線で表示）に着色して表示し、また給紙カセット１０５Ｃに青色の用紙がセットされた場合は、用紙位置表示部１８は、カセット情報等を文字で表示し、給紙カセット１０５Ｃの位置を青色（図１０中は格子状で表示）に着色して表示する。尚、用紙位置表示部１８は、表示した文字を、対応した用紙情報内の用紙の色で着色して表示してもよい。
【００５１】
また用紙位置表示部１８は、印刷する際に使用する用紙の強調表示の方法として、画像処理装置３００の画像イメージに対し格納位置情報として対応付けられた箇所（上述のように着色された画像処理装置３００の画像イメージの中の手差し給紙部１０４や給紙カセット部１０５）を点滅表示させたり、カセット情報を矩形領域で囲ったりする。尚、用紙位置表示部１８は、表示した文字を太字にしたり、反転表示したり等、上述以外の強調表示方法をとってもよい。
【００５２】
本実施の形態においては、図１０に示すように、手差し給紙部１０４（手差し）に挿入紙ＡとしてＡ４縦サイズの緑色用紙がセットされ、給紙カセット１０５Ａ（第１カセット）に挿入紙ＢとしてＡ４縦サイズの白紙がセットされている。また給紙カセット１０５Ｂ（第２カセット）に挿入紙ＣとしてＡ４横サイズの白紙がセットされ、給紙カセット１０５Ｃ（第３カセット）に挿入紙ＤとしてＡ４縦サイズの青色用紙がセットされている。また給紙カセット１０５Ｄ（第４カセット）に挿入紙ＥとしてＡ３横サイズの白紙がセットされている。また、用紙位置表示部１８は、印刷するに際し使用する用紙がセットされた「手差し」、「第１カセット」（デフォルトの用紙として使用）、「第３カセット」を強調表示する。
【００５３】
尚、用紙位置表示部１８によって表示される用紙情報、カセット情報、格納位置情報は、上述のとおり用紙状態取得部１１にて取得された情報が表示される。
また用紙位置表示部１８は、図１１に示すように給紙設定が自動設定（例えばカセットで用紙切れとなった場合に自動的に手差しトレイから給紙させる等の設定）である場合、画像処理装置３００の画像イメージとともに「自動」と表示する。
【００５４】
図６のメインメニュー画面に戻り、ユーザにより「リアルプレビュー」ボタンが押されることで、印刷試写部１９はページめくりの形式で原稿の挿入状態や印刷用紙の変更状態を表示する（ステップＳ１１１）。図１１に「リアルプレビュー」の画面イメージを示す。印刷試写部１９は、上述したように用紙設定作業が完了した原稿の表面、裏面のページを表示し、「戻る」または「進む」ボタンが押されることで、あたかもページを実際にめくるかのように、表示した原稿のページを戻したり、ページを進めたりする。更に印刷試写部１９は、「自動めくり」ボタンが押されることで定められた時間間隔で自動的にページめくりがなされるよう表示する。
【００５５】
上述の印刷設定装置１での処理における各ステップは、ＭＥＭＯＲＹ８０２に格納されている印刷設定プログラムをＣＰＵ８０１に実行させることにより実現されるものである。
【００５６】
本実施の形態においては、印刷設定画面と文書作成アプリケーションの表示の切り替え操作をする手間が発生しないため、ユーザが原稿の内容を把握しながら、且つビジュアルで確認しながら直感的に用紙の設定を行うことができる。設定結果のフィードバックに関しては、状態反映部１７による印刷物表示部１３への印刷状態の反映によって常に原稿のサムネイルで一覧化を表示されるため、ユーザは複数の用紙の設定を同時に行っている場合でも、各用紙の順番がビジュアルで確認できる。
【００５７】
また用紙位置表示部１８によって、ユーザは画面を見るだけで用紙の種別や給紙カセット（１０５Ａから１０５Ｄ）および手差し給紙部１０４の位置を把握できるため、より直感的に状態を把握することができる。また、用紙位置表示部１８は給紙設定が自動である場合、画像処理装置３００の画像イメージ上に「自動」と文字を表示するため、初めて使用するユーザであっても迷うことなく、安心して使用できる。
【００５８】
また印刷試写部１９がページめくりの形式で原稿を表示させることで、ユーザは実際にプリントアウトを行って手元で見ているような感覚で、設定内容を確実に把握することができる。
【００５９】
尚、本実施の形態においては、パーソナルコンピュータ２００内のモニター２００ａおよび入力装置２００ｂを印刷設定装置１の入出力装置としたが、画像処理装置３００内のインターフェース画面１０１を入出力装置として用いてもよい。また、本実施の形態においては、入力装置２００ｂのマウスからの入力を例として記したが、入力装置２００ｂのキーボードからの入力でもよい。
【００６０】
本実施の形態では、パーソナルコンピュータ２００と画像処理装置３００との組み合わせを例に示したが、他のパーソナルコンピュータや他の画像処理装置（例えば図１中のパーソナルコンピュータ２０ｎと画像処理装置３０ｎの組み合わせや、パーソナルコンピュータ２００と画像処理装置３０ｎとの組み合わせ等）でも同様である。
【００６１】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００６２】
本発明を特定の態様により詳細に説明したが、本発明の精神および範囲を逸脱しないかぎり、様々な変更および改質がなされ得ることは、当業者には自明であろう。
【００６３】
以上に詳述したように本発明によれば、挿入紙の設定をする際、ユーザはその挿入紙の状態を直感的に把握しながら設定することができる。
【図面の簡単な説明】
【００６４】
【図１】本実施の形態における印刷設定装置を含んだネットワーク構成について説明するための構成図である。
【図２】本実施の形態による画像処理装置の外観斜視図である。
【図３】本実施の形態による印刷設定装置について説明するための機能ブロック図である。
【図４】本実施の形態によるセンサの配置を説明するための図である。
【図５】本実施の形態による印刷設定装置の処理フローを説明するための図である。
【図６】本実施の形態による印刷設定装置における印刷設定画面のメインメニュー画面を説明する図である。
【図７】本実施の形態による印刷設定装置における印刷設定画面の用紙一覧表示およびページ一覧表示を説明する図である。
【図８】本実施の形態による印刷設定装置における印刷設定画面上での用紙の変更操作を説明する図である。
【図９】本実施の形態による印刷設定装置における印刷設定画面上での挿入紙を挿入する操作を説明する図である。
【図１０】図６に示したメインメニュー画面での画像処理装置の画像イメージを拡大表示した図（複数用紙設定）である。
【図１１】図６に示したメインメニュー画面での画像処理装置の画像イメージを拡大表示した図（自動給紙設定）である。
【図１２】本実施の形態による印刷試写部のページめくりの形式でプレビュー表示をした図である。
【符号の説明】
【００６５】
１  印刷設定装置、１１  用紙状態取得部（用紙状態情報取得部）、１２  用紙表示部、１３  印刷物表示部、１４  選択用紙情報取得部、１５  変更ページ情報取得部、１６  挿入位置情報取得部、１７  状態反映部（挿入状態反映部、変更状態反映部）、１８  用紙位置表示部、１９  印刷試写部、８０１  ＣＰＵ、２００  パーソナルコンピュータ、８０２  ＭＥＭＯＲＹ。
【図１】
2008293496.tif 000003
【図２】
2008293496.tif 000004
【図３】
2008293496.tif 000005
【図４】
2008293496.tif 000006
【図５】
2008293496.tif 000007
【図６】
2008293496.tif 000008
【図７】
2008293496.tif 000009
【図８】
2008293496.tif 000010
【図９】
2008293496.tif 000011
【図１０】
2008293496.tif 000012
【図１１】
2008293496.tif 000013
【図１２】
2008293496.tif 000014